(57)【要約】      （修正有）【課題】二重映像反射を低減し、重量および生産コストの低いフィルム型フィルタ及びそれを備えるプラズマディスプレイ装置を提供する。【解決手段】本発明は、ベースフィルムと、前記ベースフィルムの一面に配置されるアンチグレア層とを備えるフィルム型フィルタ、及び画像を表示するプラズマディスプレイパネルと前記プラズマディスプレイパネルの前面に付着された前記フィルム型フィルタを備えるプラズマディスプレイ装置を提供する。【選択図】図１
2006350345.tif 000002
【特許請求の範囲】
【請求項１】
ベースフィルムと、
前記ベースフィルムの一面に配置されるアンチグレア層と、
を備えるフィルム型フィルタ。
【請求項２】
前記アンチグレア層は、ハードコーティング物質を含むことを特徴とする請求項１に記載のフィルム型フィルタ。
【請求項３】
前記アンチグレア層の鉛筆硬度は、２Ｈないし３Ｈであり、厚さは、２ないし７μｍであることを特徴とする請求項１または２に記載のフィルム型フィルタ。
【請求項４】
前記アンチグレア層上にハードコーティング層をさらに備えることを特徴とする請求項１〜３のいずれか１項に記載のフィルム型フィルタ。
【請求項５】
前記アンチグレア層上に反射防止層をさらに備えることを特徴とする請求項１〜３のいずれか１項に記載のフィルム型フィルタ。
【請求項６】
前記反射防止層上にハードコーティング層をさらに備えることを特徴とする請求項５に記載のフィルム型フィルタ。
【請求項７】
前記ベースフィルムの一面または他面に配置される電磁波遮蔽層をさらに備えることを特徴とする請求項１〜６のいずれか１項に記載のフィルム型フィルタ。
【請求項８】
前記電磁波遮蔽層は、１層以上の金属層または金属酸化物層を備えることを特徴とする請求項７に記載のフィルム型フィルタ。
【請求項９】
前記電磁波遮蔽層は、Ａｇ、ＩＴＯ、Ｃｕ、Ａｕ、Ａｌから選択される少なくとも１つの材料を含むことを特徴とする請求項７または８に記載のフィルム型フィルタ。
【請求項１０】
前記電磁波遮蔽層は、メッシュ形状を有することを特徴とする請求項７〜９のいずれか１項記載のフィルム型フィルタ。
【請求項１１】
前記ベースフィルムの、前記アンチグレア層と反対側の面の最外層に配置される粘着層をさらに備えることを特徴とする請求項１〜１０のいずれか１項に記載のフィルム型フィルタ。
【請求項１２】
前記粘着層は、色素または顔料を含むことを特徴とする請求項１１に記載のフィルム型フィルタ。
【請求項１３】
画像を表示するプラズマディスプレイパネルと、
前記プラズマディスプレイパネルの前面に付着された請求項１〜１２のいずれか１項に記載のフィルム型フィルタと、
を備えるプラズマディスプレイ装置。
【発明の詳細な説明】
【技術分野】
【０００１】
本発明は、フィルム型フィルタ及び前記フィルム型フィルタを備えるプラズマディスプレイ装置に関する。
【背景技術】
【０００２】
プラズマディスプレイパネル（ＰＤＰ：Ｐｌａｓｍａ  Ｄｉｓｐｌａｙ  Ｐａｎｅｌ）を利用するプラズマディスプレイ装置は、プラズマ放電を利用して画像を表示する平板ディスプレイ装置であって、輝度、コントラスト、残像及び視野角などの各種の表示能力に優れ、薄型であり、大画面の表示が可能であって、次世代の大型平板ディスプレイ装置として注目されている。また、例えば、特許文献１には、強化ガラスフィルタを用いたプラズマディスプレイ装置について開示されている。
【特許文献１】韓国特許出願公開第２００２−００６５７５７号明細書
【発明の開示】
【発明が解決しようとする課題】
【０００３】
しかし、従来のプラズマディスプレイ装置では、ＰＤＰの前面基板と強化ガラスフィルタとの間で、その屈折率の差によって映像が二重に反射されるという問題がある。また、前記強化ガラスフィルタは、外部の衝撃に耐えるように一定厚さ（約３ｍｍ）を維持するので、重量及びコストが増加するという問題点がある。さらに、既存の強化ガラスフィルタは、多様な機能を有するフィルムが複合された非常に複雑な構造を有しているので、製造工程が複雑であり、かつコストも高くなるという問題がある。
【０００４】
本発明は、前記問題点を解決するために、二重映像反射の問題を低減し、重量が減少したフィルム型フィルタ及び前記フィルム型フィルタを備えるプラズマディスプレイ装置を提供することを目的とする。
【０００５】
また、本発明は、製造コストが低下し、製造が容易なフィルム型フィルタ及び前記フィルム型フィルタを備えるプラズマディスプレイ装置を提供することを他の目的とする。
【課題を解決するための手段】
【０００６】
前記目的及びその他の目的を達成するために、本発明は、ベースフィルムと、前記ベースフィルムの一面に配置されるアンチグレア層と、を備えるフィルム型フィルタを提供する。
【０００７】
本発明の他の実施形態によれば、本発明は、画像を表示するプラズマディスプレイパネルと、前記プラズマディスプレイパネルの前面に付着された上述のフィルム型フィルタと、を備えるプラズマディスプレイ装置を提供する。
【発明の効果】
【０００８】
本発明によるフィルム型フィルタ及びそれを備えるプラズマディスプレイ装置は、次のような効果を有する。
【０００９】
第一に、フィルム型フィルタがディスプレイパネルの前面に直接的に付着されるため、二重映像反射が減少しうる。
【００１０】
第二に、厚さが相対的に薄いベースフィルムを利用して形成されるため、重量が減少し、コストが低減されうる。
【００１１】
第三に、ベースフィルム上に多様な機能を有する層を積層できるため、製造が容易になる。
【００１２】
第四に、アンチグレア層の乱反射効果によって防眩性が向上し、鏡面反射が減少して視認性が向上する。
【発明を実施するための最良の形態】
【００１３】
以下、添付された図面を参照して本発明をさらに詳細に説明する。
【００１４】
図１及び図２を参照して、本発明の第１実施形態によるフィルム型フィルタ１０を説明する。図１は、本発明のフィルム型フィルタ１０の斜視図であり、図２は、図１のＩＩ−ＩＩ線に沿って切り取った断面図である。
【００１５】
図１及び図２を参照すれば、フィルム型フィルタ１０は、ベースフィルム３、アンチグレア層１、電磁波遮蔽層５及び粘着層６を備えている。
【００１６】
ベースフィルム３は、一般的に、可視光透過率の高い素材を利用して形成されることが望ましいが、明室コントラストの向上のために着色されうる。このようなベースフィルム３は、例えば、ポリエーテルスルホン（ＰＥＳ）、ポリアクリレート（ＰＡＲ）、ポリエーテルイミド（ＰＥＩ）、ポリエチレンナフタレート（ＰＥＮ）、ポリエチレンテレフタレート（ＰＥＴ）、ポリフェニレンスルフィド（ＰＰＳ）、ポリアリレート、ポリイミド、ポリカーボネート（ＰＣ）、セルローストリアセテート（セルロースＴＡＣ）、セルロースアセテートプロピオネート（ＣＡＰ）などを利用して形成され、望ましくは、ポリカーボネート、ポリエチレンテレフタレート、セルローストリアセテート、ポリエチレンナフタレートが利用される。
【００１７】
また、前記ベースフィルム３は、平板形状を有し、その厚さは、５０ないし５００μｍであることが望ましい。但し、ベースフィルム３の厚さが薄くなるにつれて、パネルの破損時に飛散防止の効果が減少し、厚くなるにつれて、ラミネーション工程の効率が低下するという問題があるため、８０ないし４００μｍの厚さを有することがさらに望ましい。
【００１８】
ベースフィルム３の一面には、アンチグレア層１が配置されている。アンチグレア層１は、外部入射光を表面で散乱させ、外部光がフィルム型フィルタ１０の表面に到達することを防止する機能を有する。従来の強化ガラスフィルタにアンチグレア層を形成する場合、前面基板と強化ガラスフィルタとの間のギャップによって映像の鮮明度が大きく低下する不利益があるため、従来の強化ガラスフィルタには、アンチグレア層を形成できなかった。しかし、本発明では、フィルム型フィルタ１０がディスプレイパネルに直接付着されるため、映像の鮮明度の問題がほとんど発生しないため、アンチグレア層１の形成が可能であるという長所を有する。
【００１９】
このようなアンチグレア層１は、ベースフィルム３上に微細な凹凸を形成することによって形成されうる。最近、ＰＤＰの高視野角化、高速応答化及び高精細化、すなわち、高画質に対する要求が非常に高い。この高精細化は、画素サイズの微小化によって実現されるが、画素サイズが小さくなるにつれて、例えば、１３３ｐｐｉ（１３３Ｐｉｘｅｌｓ／ｉｎｃｈ）以上の高精細になれば、ユーザの眼に到達する光に輝度偏差が生じるため、ユーザの眼にはグレアが生じる。このような現象は、ベースフィルム３の表面に画像を表示する画素より大きい凹凸が存在することによって、単一画素からの光がレンズ効果によって集光されるか、またはサブピクセルからの赤色、緑色および青色の光が混色を起こすことによって発生する。したがって、アンチグレア層の微細な凹凸は、画像を表示する画素より小さいことが望ましい。
【００２０】
アンチグレア層１は、例えば、ディップコーティング法、エアナイフ法、カーテンコーティング法、ローラコーティング法、ワイヤバーコーティング法、グラビアコーティング法などを利用して形成されうる。
【００２１】
前記アンチグレア層１は、ハードコーティング物質を含むことが望ましい。前記フィルム型フィルタ１０を有するプラズマディスプレイ装置は、使用中に様々な形態の外力を受けるため、外力によるスクラッチが発生するおそれがある。したがって、ハードコーティング物質を含むことによって、外力によるスクラッチが防止される。本実施形態では、アンチグレア層１にハードコーティング物質を含んでいるが、図３に示したように、アンチグレア層１’上に別途のハードコーティング層４を形成してもよい。
【００２２】
ハードコーティング物質としては、特に制限されないが、バインダーとして、アクリル系ポリマー、ウレタン系ポリマー、エポキシ系ポリマー、シロキサン系ポリマーなどのポリマーが利用されるか、またはオリゴマーのような紫外線硬化樹脂が利用されうる。ハードコーティング物質には、強度の向上のためにシリカ系のフィラーがさらに含まれうる。
【００２３】
また、アンチグレア層１は、厚さが２〜７μｍ、鉛筆硬度が２Ｈ〜３Ｈであることが望ましいが、これに限定されない。
【００２４】
前記ベースフィルム３の他方の面には、電磁波遮蔽層５が配置されている。電磁波遮蔽層５は、ディスプレイ装置で発生する人体に有害な電磁波を遮蔽する。前記電磁波遮蔽層５は、望ましくは、１層以上の金属層または金属酸化物層を積層して形成され、さらに望ましくは、５層ないし１１層の多層構造を有する。特に、金属酸化物層と金属層とを共に積層する場合、金属酸化物層は、金属層の酸化や劣化を防止しうるという長所がある。また、前記電磁波遮蔽層５を多層に積層する場合、電磁波遮蔽層５の表面抵抗値を補正できるだけでなく、可視光線の透過率を調節できるという長所を有する。なお、図１のフィルム型フィルタにおいては、ベースフィルム３の一面にアンチグレア層１を備え、他面に電磁波遮蔽層５を備える構造（電磁波遮蔽層５／ベースフィルム３／アンチグレア層１）をとるが、ベースフィルムの一面に電磁波遮蔽層５とアンチグレア層１とをこの順に備える構造（ベースフィルム３／電磁波遮蔽層５／アンチグレア層１）をとってもよい。
【００２５】
前記金属層は、例えば、パラジウム、銅、白金、ロジウム、アルミニウム、鉄、コバルト、ニッケル、亜鉛、ルテニウム、スズ、タングステン、イリジウム、鉛、銀、金またはこれらの合金から形成されうる。
【００２６】
また、金属酸化物層は、例えば、酸化スズ、酸化インジウム、酸化アンチモン、酸化亜鉛、酸化ジルコニウム、酸化チタン、酸化マグネシウム、酸化ケイ素、酸化アルミニウム、金属アルコキシド、インジウムスズ酸化物（ＩＴＯ）、アンチモンスズ酸化物（ＡＴＯ）など、またはこれらの混合物から形成されうる。
【００２７】
前記電磁波遮蔽層５は、例えば、スパッタリング、真空蒸着法、イオンメッキ法、化学気相蒸着（ＣＶＤ：Ｃｈｅｍｉｃａｌ  Ｖａｐｏｕｒ  Ｄｅｐｏｓｉｔｉｏｎ）法、物理気相蒸着（ＰＶＤ：Ｐｈｙｓｉｃａｌ  Ｖａｐｏｕｒ  Ｄｅｐｏｓｉｔｉｏｎ）法などを利用して形成されうる。但し、本実施形態では、前記低磁気波遮蔽層５をＩＴＯ及びＡｇの単独または交互蒸着構造で５ないし１１層の多層構造に形成することが望ましい。
【００２８】
前記金属層または金属酸化物層は、電磁波遮蔽機能だけでなく、近赤外線遮断の機能も有する。したがって、近赤外線によって周辺電子機器の誤作動が発生するという問題点が低減する。
【００２９】
電磁波遮蔽層５上には、粘着層６が形成されている。粘着層６は、フィルム型フィルタ１０のディスプレイパネルへの付着に利用される。前記粘着層６は、二重映像反射を減少させるために、プラズマディスプレイパネルの屈折率との屈折率差が所定の値、例えば、１％を超えない材料で形成されることが望ましい。
【００３０】
前記粘着層６は、熱可塑性樹脂またはＵＶ硬化性樹脂を含むことが望ましい。例えば、アクリレート系樹脂または感圧性接着剤（ＰＳＡ；Ｐｒｅｓｓｕｒｅ  Ｓｅｎｓｉｔｉｖｅ  Ａｄｈｅｓｉｖｅ）などが挙げられる。前記粘着層６は、ディップコーティング法、エアナイフ法、カーテンコーティング法、ローラコーティング法、ワイヤバーコーティング法、グラビアコーティング法を利用して形成されうる。
【００３１】
前記粘着層６は、近赤外線を吸収する化合物をさらに含みうる。このような化合物としては、例えば、銅原子を含む樹脂、銅化合物またはリン酸化合物を含有する樹脂、銅化合物やチオウレア誘導体を含む樹脂、タングステン化合物を含む樹脂、またはシアニン系化合物などが利用されうる。
【００３２】
また、前記粘着層６は、ネオン光を遮断する、または色補正を行うように顔料または色素のような着色材料をさらに含みうる。前記着色材料は、可視光線領域である４００〜７００ｎｍの波長の光を選択的に吸収しうる。特に、ＰＤＰの放電時、放電ガスのネオンによって約５８５ｎｍの波長付近に不要な可視光が発生するが、前記可視光を吸収するために、例えば、シアニン系、スクアリリウム系、アゾメチン系、キサンテン系、オキソノール系、アゾ系などの化合物を利用できる。前記粘着層６は、色素を微粒子として分散状態で含みうる。
【００３３】
前記のような構造を有するフィルム型フィルタ１０の場合、透過率が３０ないし９０％でありうるが、望ましくは、透過率が４０ないし８０％である。また、前記フィルム型フィルタ１０は、３ないし１１％のヘイズを有し得る。
【００３４】
図４を参照して、本発明の第２実施形態によるフィルム型フィルタ２１０について説明する。図４は、本発明の第２実施形態によるフィルム型フィルタ２１０の斜視図である。以下では、第１実施形態と異なる点を中心に説明する。
【００３５】
図４を参照すれば、フィルム型フィルタ２１０は、ベースフィルム２０３、アンチグレア層２０１、電磁波遮蔽層２０５及び粘着層２０６を備えている。
【００３６】
ベースフィルム２０３は、一般的に、可視光の透過率の高い素材を利用して形成されることが望ましいが、明室コントラストの向上のために着色されうる。
【００３７】
ベースフィルム２０３の一面には、アンチグレア層２０１が配置されている。アンチグレア層２０１は、外部からの入射光を表面で散乱させ、周辺光フィルム型フィルタの表面に照らされることを防止する機能を有する。
【００３８】
前記アンチグレア層２０１は、ハードコーティング物質を含むことが望ましい。しかし、アンチグレア層２０１上に別途のハードコーティング層（図示せず）を形成してもよい。
【００３９】
前記ベースフィルム２０３の他方の面には、電磁波遮蔽層２０５が配置されている。電磁波遮蔽層２０５は、ディスプレイ装置で発生する人体に有害な電磁波を遮蔽しうる。前記電磁波遮蔽層２０５は、多様な形状を有するように形成されうるが、電磁波遮蔽率を向上させるために、望ましくは、メッシュ形状を有する。メッシュ形状の例として、図４に傾斜角のメッシュ形状を有する場合を示すが、本発明の電磁波遮蔽層は、これに限定されず、実質的に長方形のメッシュ形状、円形のメッシュ形状または不規則なメッシュ形状など、多様な形状を有しうる。また、前記電磁波遮蔽層２０５は、多様な金属を利用して形成されうるが、加工性に優れ、導電性に優れた銅を利用して形成することが望ましい。
【００４０】
電磁波遮蔽層２０５上には、粘着層２０６が形成されている。粘着層２０６は、フィルム型フィルタ２１０のディスプレイパネルへの付着に利用される。前記粘着層２０６は、近赤外線を吸収する化合物をさらに含みうる。また、粘着層２０６は、色補正を行うか、またはネオン光を遮断できるように、色素や顔料のような着色材料をさらに含みうる。
【００４１】
前記のような構造を有するフィルム型フィルタ２１０の場合、透過率が３０ないし９０％でありうるが、望ましくは、透過率が４０ないし８０％である。また、前記フィルム型フィルタ２１０は、３ないし１１％のヘイズを有しうる。
【００４２】
図５を参照して、本発明の第３実施形態によるフィルム型フィルタ３１０について説明する。図５は、本発明の第３実施形態によるフィルム型フィルタ３１０の断面図である。以下では、前述した実施形態と異なる点を中心に説明する。
【００４３】
図５を参照すれば、フィルム型フィルタ３１０は、ベースフィルム３０３、アンチグレア層３０１、反射防止層３０２、電磁波遮蔽層３０５及び粘着層３０６を備えている。
【００４４】
ベースフィルム３０３は、一般的に、可視光の透過率の高い素材を利用して形成されることが望ましいが、明室コントラストの向上のために着色されうる。
【００４５】
ベースフィルム３０３の一面には、アンチグレア層３０１が配置されている。アンチグレア層３０１は、外部からの入射光を表面で散乱させ、周辺光がフィルム型フィルタ３１０の表面に照らされることを防止する機能を有する。
【００４６】
また、前記アンチグレア層３０１上には、前記反射防止層３０２が配置されている。前記反射防止層３０２は、可視光の透過率を調整して、外部から入射する可視光の反射率を低下させ、長時間の作業を行うユーザの眼の疲労感を最小化させる。ここで、可視光の透過率の調整とは、可視光の選択的な吸収を含み、コントラストだけでなく色再現の範囲を広げる効果を得るためである。
【００４７】
前記反射防止層３０２は、望ましくは、金属酸化物を少なくとも１層以上積層した多層膜で構成される。このような多層膜を用いて可視光の透過率を調整できる。このような金属酸化物は、特に制限されないが、ＩＴＯとＳｉＯ２との混合物、またはＮｉＣｒとＳｉＯ２との混合物などを利用できる。
【００４８】
前記反射防止層３０２は、例えば、ＣＶＤ法やＰＶＤ法、特に、ＰＶＤ法の一種である真空蒸着法やスパッタリングなどによって形成されうる。
【００４９】
前記放射防止層３０２上には、ディスプレイパネルのスクラッチの防止のためにハードコーティング層３０４が形成されうる。
【００５０】
前記ベースフィルム３０３の他方の面には、電磁波遮蔽層３０５が配置されうる。電磁波遮蔽層３０５は、ディスプレイ装置で発生する人体に有害な電磁波を遮蔽しうる。望ましくは、前記電磁波遮蔽層３０５は、１層以上の金属層または金属酸化物層を積層して形成され、さらに望ましくは、５層ないし１１層の多層構造を有する。
【００５１】
電磁波遮蔽層３０５上には、粘着層３０６が形成されうる。粘着層３０６は、フィルム型フィルタ３１０のディスプレイパネルへの付着に利用される。前記粘着層３０６は、近赤外線を吸収する化合物をさらに含みうる。また、粘着層３０６は、色補正を行うか、またはネオン光を遮断できるように、色素や顔料のような着色材料をさらに含みうる。
【００５２】
前記のような構造を有するフィルム型フィルタ３１０の場合、透過率が３０ないし９０％でありうるが、望ましくは、透過率が４０ないし８０％である。また、前記フィルム型フィルタ３１０は、３ないし１１％のヘイズを有しうる。
【００５３】
図６及び図７には、本発明の第１実施形態によるフィルム型フィルタ１０を備えるプラズマディスプレイ装置１００が示されている。図６は、プラズマディスプレイ装置１００の分離斜視図であり、図７は、図６のＶＩＩ−ＶＩＩ線に沿って切り取った断面図である。前述した実施形態で説明した部材と同じ部材については、以下のプラズマディスプレイ装置１００の説明においても同じ参照符号を使用する。そして、プラズマディスプレイ装置１００は、第２実施形態ないし第３実施形態のフィルム型フィルタだけでなく、本発明による多様な形状のフィルム型フィルタを備えうる。
【００５４】
前記プラズマディスプレイ装置１００は、大きくフィルム型フィルタ１０、ＰＤＰ５０、シャーシ３０、熱伝導部材５３及び回路部４０を備えうる。
【００５５】
前記ＰＤＰ５０は、画像を表示し、相互に結合される前方パネル５１及び後方パネル５２を備えうる。
【００５６】
前記フィルム型フィルタ１０は、ＰＤＰ５０の前面に粘着層の側で付着される。前記フィルム型フィルタ１０によって前記ＰＤＰ５０の電磁波が遮断され、グレア現象が減少する。また、赤外線やネオン光が遮断されうる。それだけでなく、フィルム型フィルタ１０が実質的にＰＤＰ５０の前面に直接的に付着されるため、二重映像反射の問題が基本的に解消されうる。
【００５７】
前記シャーシ３０は、ＰＤＰ５０の後方に配置されてＰＤＰ５０を構造的に支持する機能を有する。シャーシ３０は、剛性に優れた金属材料であるアルミニウム、鉄などで形成されるか、またはプラスチックで形成されることが望ましい。
【００５８】
前記ＰＤＰ５０と前記シャーシ３０との間には、前記熱伝導部材５３が配置されている。また、前記熱伝導部材５３の周囲に沿って複数の両面テープ５４が配置されるが、前記両面テープ５４は、前記ＰＤＰ５０とシャーシ３０とを互いに固定する機能を有する。
【００５９】
また、前記シャーシ３０の後方には、回路部４０が配置される。回路部４０には、ＰＤＰ５０を駆動する回路が配線される。回路部４０は、信号伝達手段によって電気的信号をＰＤＰ５０に伝達する。信号伝達手段としては、例えば、ＦＰＣ（Ｆｌｅｘｉｂｌｅ  Ｐｒｉｎｔｅｄ  Ｃａｂｌｅ）、ＴＣＰ（Ｔａｐｅ  Ｃａｒｒｉｅｒ  Ｐａｃｋａｇｅ）、ＣＯＦ（Ｃｈｉｐ  Ｏｎ  Ｆｉｌｍ）などが選択されて使われうる。本実施形態によれば、シャーシ３０の左側及び右側には、信号伝達手段としてＦＰＣ６１が配置されており、シャーシ３０の上側及び下側には、信号伝達手段としてＴＣＰ６２が配置されている。
【００６０】
本発明は、図面に示した実施形態を参照して説明されたが、これは、例示的なものに過ぎず、当業者ならば、これから多様な変形及び均等な他の実施形態が可能であるということが分かるであろう。したがって、本発明の真の技術的範囲は、特許請求の範囲の技術的思想によって決定されねばならない。
【産業上の利用可能性】
【００６１】
本発明のフィルム型フィルタ及びプラズマディスプレイ装置を採用すれば、二重映像反射の問題が減少し、重量が減少したフィルム型フィルタ及び前記フィルム型フィルタを備えるプラズマディスプレイ装置を製造できる。
【図面の簡単な説明】
【００６２】
【図１】本発明の第１実施形態によるフィルム型フィルタの斜視図である。
【図２】図１のＩＩ−ＩＩ線に沿って切り取った断面図である。
【図３】図１に示したフィルム型フィルタの変形例を示す断面図である。
【図４】本発明の第２実施形態によるフィルム型フィルタの部分切開斜視図である。
【図５】本発明の第３実施形態によるフィルム型フィルタの断面図である。
【図６】プラズマディスプレイ装置の分離斜視図である。
【図７】図６のＶＩＩ−ＶＩＩ線に沿って切り取った断面図である。
【符号の説明】
【００６３】
１、１’、２０１、３０１    アンチグレア層、
３、２０３、３０３    ベースフィルム、
４、３０４    ハードコーティング層
５、２０５、３０５    電磁波遮蔽層、
６、２０６、３０６    粘着層、
１０、２１０、３１０    フィルム型フィルタ、
３０２    反射防止層、
３０    シャーシ、
４０    回路部、
５０    ＰＤＰ、
５１    前方パネル、
５２    後方パネル、
５３    熱伝導部材、
５４    両面テープ、
６１    ＦＰＣ、
６２    ＴＣＰ、
１００    プラズマディスプレイ装置。
【図１】
2006350345.tif 000003
【図２】
2006350345.tif 000004
【図３】
2006350345.tif 000005
【図４】
2006350345.tif 000006
【図５】
2006350345.tif 000007
【図６】
2006350345.tif 000008
【図７】
2006350345.tif 000009